【手続補正書】
【提出日】平成19年2月27日(2007.2.27)
【手続補正１】
【補正対象書類名】明細書
【補正対象項目名】特許請求の範囲
【補正方法】変更
【補正の内容】
【特許請求の範囲】
【請求項１】  パケットサービス用無線通信システムの上りリンクにおいて、ユーザ装置の間で、無線リソースを共用する方法であって、
ネットワーク（ＵＴＲＡＮ）において、ユーザ装置に対する最大伝送速度（ＳＦｍｉｎ）を計算（２，３６，３７，４３，７７）し、該最大伝送速度（ＳＦｍｉｎ）をユーザ装置に同報通信（３，４４）するステップと、
ユーザ装置（ＵＥ）において、最後に受信した同報通信された最大伝送速度（ＳＦｍｉｎ）よりも低速な伝送速度で、伝送（１９，３５，５７，８０）するステップとを含む方法。
【請求項２】  前記最大伝送速度（ＳＦｍｉｎ）が、フレームごとに同報通信される請求項１に記載の方法。
【請求項３】  前記最大伝送速度（ＳＦｍｉｎ）が、全てのユーザ装置に対して同じである請求項１または２に記載の方法。
【請求項４】  前記最大伝送速度（ＳＦｍｉｎ）が、クラスに依存する請求項１または２に記載の方法。
【請求項５】  ネットワーク（ＵＴＲＡＮ）において、ユーザ装置に対する確率（ｐｔｒ）を計算（１，３６）し、該確率（ｐｔｒ）をユーザ装置に同報通信（３）するステップと、
ユーザ装置（ＵＥ）において、乱数（ｐ）が前記最後に受信した同報通信された確率（ｐｔｒ）よりも小さい場合にだけ伝送（１９，３５）するステップとをさらに含む請求項１から４のいずれか一項に記載の方法。
【請求項６】  ネットワーク（ＵＴＲＡＮ）において、ユーザ装置に対する確率（ｐｔｒ）を計算（１，３６）し、該確率（ｐｔｒ）をユーザ装置に同報通信するステップと、
ユーザ装置において、要求された伝送速度が同報通信された最大伝送速度（ＳＦｍｉｎ）よりも小さい場合に、前記最後に受信した同報通信された確率（ｐｔｒ）と前記最後に受信した同報通信された最大伝送速度（ＳＦｍｉｎ）と前記ユーザ装置により要求された伝送速度とに応じて、前記最後に受信した同報通信された確率（ｐｔｒ）よりも高いユーザ確率（ｐｏｗｎ）を計算（１１，３４）し、乱数（ｐ）が最後に計算されたユーザ確率（ｐｏｗｎ）よりも小さい場合にだけ、伝送（１９，３５）するステップとをさらに含む請求項１から４のいずれか一項に記載の方法。
【請求項７】  前記確率が、フレームごとに同報通信される請求項５または６に記載の方法。
【請求項８】  前記確率が、全てのユーザ装置に対して同じである請求項５から７のいずれか一項に記載の方法。
【請求項９】  前記確率が、クラスに依存する請求項５から７のいずれか一項に記載の方法。
【請求項１０】  前記乱数（ｐ）が前記最後に受信した同報通信された確率（ｐｔｒ）よりも小さいと判定された後で、有効な期間（Ｔｖａｌｉｄｉｔｙ）の間、前記伝送（１９，３５）するステップが実行（１５）される請求項５から９のいずれか一項に記載の方法。
【請求項１１】  前記乱数（ｐ）が、前記最後に受信した同報通信された確率（ｐｔｒ）よりも小さくないと判定された後で、再試行期間（Ｔｒｅｔｒｙ）の間、ユーザ装置（ＵＥ）が伝送（１９，３５）することを許可されない請求項５から１０のいずれか一項に記載の方法。
【請求項１２】  前記伝送するステップが、所定の期間（Ｔｉｎｉｔ）の間、第１の伝送速度（ＳＦｉｎｉｔ）で開始（５１，７４）され、前記所定の期間（Ｔｉｎｉｔ）の経過した後は、第２の伝送速度（ＳＦ）で継続（５４，７９）される請求項１から４のいずれか一項に記載の方法。
【請求項１３】  前記最大伝送速度（ＳＦｍｉｎ）が、前記第１の伝送速度（ＳＦｉｎｉｔ）で伝送するユーザ装置に同報通信される請求項１２に記載の方法。
【請求項１４】  前記最大伝送速度（ＳＦｍｉｎ）が、新たに計算された時にだけ、同報通信される請求項１２または１３に記載の方法。
【請求項１５】  ネットワークにおいて、ユーザ装置に対する最大伝送速度（ＳＦｍｉｎ）を計算（２，３６，３７，４３，７７）する手段と、該最大伝送速度（ＳＦｍｉｎ）をユーザ装置に同報通信（３，４４）する手段と、
ユーザ装置（ＵＥ）において、ネットワークにより同報通信された最大伝送速度（ＳＦｍｉｎ）を受信する手段と、最後に受信した同報通信された最大伝送速度よりも低速な伝送速度で、伝送（１９，３５，５７，８０）する手段とを有する無線通信システム。
【請求項１６】  ネットワークにより同報通信された最大伝送速度（ＳＦｍｉｎ）を受信する手段と、
最後に受信した同報通信された最大伝送速度よりも低速な伝送速度で、伝送（１９，３５，５７，８０）する手段とを有するユーザ装置。
【請求項１７】  フレームごとにネットワークにより同報通信された最大伝送速度を受信する手段を有する請求項１６に記載のユーザ装置。
【請求項１８】  クラスに依存する同報通信された最大伝送速度を受信する手段を有する請求項１６または１７に記載のユーザ装置。
【請求項１９】  ネットワークにより同報通信されたユーザ装置に対する確率（ｐｔｒ）を受信する手段と、
乱数（ｐ）が最後に受信されたユーザ確率（ｐｔｒ）よりも小さい場合にだけ、伝送（１９，３５）する手段とを有する、請求項１６から１８のいずれか一項に記載のユーザ装置。
【請求項２０】  ネットワークにより同報通信された、ユーザ装置に対する確率（ｐｔｒ）を受信する手段と、
要求された伝送速度が同報通信された最大伝送速度（ＳＦｍｉｎ）よりも小さい場合に、前記最後に受信した同報通信された確率（ｐｔｒ）と前記最後に受信した同報通信された最大伝送速度（ＳＦｍｉｎ）と前記ユーザ装置により要求された伝送速度とに応じて、前記最後に受信した同報通信された確率（ｐｔｒ）よりも高いユーザ確率（ｐｏｗｎ）を計算（１１，３４）し、乱数（ｐ）が最後に計算されたユーザ確率（ｐｏｗｎ）よりも小さい場合にだけ、伝送（１９，３５）する手段とをさらに含む、請求項１６から１８のいずれか一項に記載のユーザ装置。
【請求項２１】  フレームごとにネットワークにより同報通信された確率を受信する手段を有する請求項１９または２０に記載のユーザ装置。
【請求項２２】  クラスに依存する同報通信された確率を受信する手段を有する請求項１９から２１のいずれか一項に記載のユーザ装置。
【請求項２３】  前記乱数（ｐ）が前記最後に受信した同報通信された確率（ｐｔｒ）よりも小さいと判定された後で、有効な期間（Ｔｖａｌｉｄｉｔｙ）の間、伝送（１９，３５）する手段を有する、請求項１９から２２のいずれか一項に記載のユーザ装置。
【請求項２４】  前記乱数（ｐ）が、前記最後に受信した同報通信された確率（ｐｔｒ）よりも小さくないと判定された後で、再試行期間（Ｔｒｅｔｒｙ）の間、伝送（１９，３５）を許可しない手段を有する、請求項１９から２２のいずれか一項に記載のユーザ装置。
【請求項２５】  所定の期間（Ｔｉｎｉｔ）の間、第１の伝送速度（ＳＦｉｎｉｔ）で伝送を開始（５１，７４）し、前記所定の期間（Ｔｉｎｉｔ）の経過した後は、第２の伝送速度（ＳＦ）で伝送を継続（５４，７９）する手段を有する、請求項１６から１８のいずれか一項に記載のユーザ装置。
【請求項２６】  ネットワークにより前記第１の伝送速度で伝送するユーザ装置に同報通信される最大伝送速度を受信する手段を有する、請求項２５に記載のユーザ装置。
【請求項２７】  ユーザ装置に対する最大伝送速度（ＳＦｍｉｎ）を計算（２，３６，３７，４３，７７）する手段と、
前記計算された最大伝送速度をユーザ装置に同報通信（３，４４）する手段と、を有するネットワーク装置。
【請求項２８】  フレームごとに最大伝送速度を同報通信する手段を有する請求項２７に記載のネットワーク装置。
【請求項２９】  すべてのユーザ装置について同一の最大伝送速度を同報通信する手段を有する請求項２７または２８に記載のネットワーク装置。
【請求項３０】  クラスに依存する最大伝送速度を同報通信する手段を有する請求項２７または２８に記載のネットワーク装置。
【請求項３１】  ユーザ装置に対する確率（ｐｔｒ）を計算（１、３６)する手段と、
ユーザ装置へ該確率を伝送（３）する手段とを更に有する、請求項２７から３０のいずれか一項に記載のネットワーク装置。
【請求項３２】  フレームごとに確率を同報通信する手段を有する請求項３１に記載のネットワーク装置。
【請求項３３】  すべてのユーザ装置について同一の確率を同報通信する手段を有する請求項３１に記載のネットワーク装置。
【請求項３４】  クラスに依存する確率を同報通信する手段を有する請求項３１に記載のネットワーク装置。
【請求項３５】  所定の期間（Ｔｉｎｉｔ）の間、第１の伝送速度（ＳＦｉｎｉｔ）で伝送を開始し、前記所定の期間（Ｔｉｎｉｔ）の経過した後は、第２の伝送速度（ＳＦ）で伝送を継続するユーザ装置へ、最大伝送速度を同報通信（４４）する手段を有する求項２７から３０のいずれか一項に記載のネットワーク装置。
【請求項３６】  最大伝送速度が、新たに計算された時にだけ、同報通信する手段を有する請求項３５に記載のネットワーク装置。